(57)【要約】【課題】  垂木と桁の連結が容易で施工性が良好な簡易構造物を提供する。【解決手段】  垂木と、桁と、連結具を備え、連結具が、基板部と、基板部の上面に設けた係合部を有していて、基板部が、垂木の下面に当接する垂木固定部と、垂木の側方に延出する桁固定部からなり、垂木が、側面に被係合部を有していて、連結具の係合部が被係合部に対して垂木の長手方向に摺動自在に係合するものであり、連結具の係合部を垂木の被係合部に係合させてあり、垂木固定部を下側から垂木に固定してあり、桁固定部を上側から桁に固定してある。【選択図】      図１
2018071268.tif 000002
【特許請求の範囲】
【請求項１】
垂木と、桁と、連結具を備え、連結具が、基板部と、基板部の上面に設けた係合部を有していて、基板部が、垂木の下面に当接する垂木固定部と、垂木の側方に延出する桁固定部からなり、垂木が、側面に被係合部を有していて、連結具の係合部が被係合部に対して垂木の長手方向に摺動自在に係合するものであり、連結具の係合部を垂木の被係合部に係合させてあり、垂木固定部を下側から垂木に固定してあり、桁固定部を上側から桁に固定してあることを特徴とする簡易構造物。
【発明の詳細な説明】
【技術分野】
【０００１】
本発明は、垂木や桁を組んで構成される簡易構造物に関する。
【背景技術】
【０００２】
テラスなどの簡易構造物において、水平に延びる桁に、桁と直交する垂木を載置し固定した構造のものがある。従来、このような垂木と桁の連結においては、特許文献１に示すように、垂木の両側に形成したフランジを、それぞれ桁に固定した固定金具でクランプ保持していた。
【先行技術文献】
【特許文献】
【０００３】
【特許文献１】特開２０１６−３３３０８号公報
【発明の概要】
【発明が解決しようとする課題】
【０００４】
しかしながら、このような連結構造の場合、固定金具は予め垂木と桁の何れにも固定されておらず、ともに垂木や桁が位置する高所で位置を合わせてから固定する。作業者は、垂木、固定金具及びビスを持って高所に上がり、垂木と桁の位置を合わせ、固定金具を垂木に係止するとともに、桁にビス止めしなければならず、施工性が良くなかった。
【０００５】
本発明は、上記事情を鑑みたものであり、垂木と桁の連結が容易で施工性が良好な簡易構造物を提供することを目的とする。
【課題を解決するための手段】
【０００６】
本発明は、垂木と、桁と、連結具を備え、連結具が、基板部と、基板部の上面に設けた係合部を有していて、基板部が、垂木の下面に当接する垂木固定部と、垂木の側方に延出する桁固定部からなり、垂木が、側面に被係合部を有していて、連結具の係合部が被係合部に対して垂木の長手方向に摺動自在に係合するものであり、連結具の係合部を垂木の被係合部に係合させてあり、垂木固定部を下側から垂木に固定してあり、桁固定部を上側から桁に固定してあることを特徴とする。
【発明の効果】
【０００７】
本発明によれば、予め連結具を垂木に固定できるので、作業者は、連結具を取り付けた垂木を持って高所に上がり、連結具を桁に固定すればよく、施工性が良好である。連結具は予め垂木の所定の位置に付いているので、これだけで垂木を所定の位置に取り付けられる。また、連結具を垂木に固定する際、連結具が垂木に対して摺動自在なので、位置合わせが容易である。
【図面の簡単な説明】
【０００８】
【図１】簡易構造物の垂木と桁の連結部分の説明図である。
【図２】簡易構造物の妻垂木と桁の連結部分の説明図である。
【図３】簡易構造物の側面図である。
【図４】簡易構造物の正面図である。
【図５】簡易構造物の側面方向視断面図である。
【図６】簡易構造物の正面方向視断面図である。
【図７（ａ）】簡易構造物の組立手順図（１）である。
【図７（ｂ）】簡易構造物の組立手順図（２）である。
【図７（ｃ）】簡易構造物の組立手順図（３）である。
【発明を実施するための形態】
【０００９】
以下、本発明の実施の形態を図面に基づいて説明する。この簡易構造物は、種々の用途に用いられるものであるが、ここでは、住宅などの建物躯体に近接して設置されるテラスを例に挙げる。また、以下においては、躯体の前側に簡易構造物が設置されているものとし（簡易構造物側が前側、躯体側が後側、図３）、左右は簡易構造物を正面視した際の左右方向を示す（図４）。図３〜図６に示すように、この簡易構造物は、柱４と桁２を門形に組んだ上に、垂木１（妻垂木１ａを含む）と、前枠５ａ及び後枠５ｂと、中桟６と、パネル材７と、垂木カバー８を組んで構成した屋根を載せたものである。
【００１０】
柱４は、断面略正方形の形材からなり、躯体Ｓの前側の左右位置に、前後に間隔を空けて２本ずつ立設してある。設置面の、各柱４の立設位置には、上面視して正方形の基礎穴Ｈを形成してあり、基礎穴Ｈに柱４を立てて、コンクリート又はモルタルを流し込んで固定してある。なお、屋根（垂木１）が前側に向けて下方に傾斜して設けられるものであり、その傾斜に合わせて、前側の柱４よりも後側の柱４の方が高くなっている。
【００１１】
桁２は、断面略矩形の形材からなり、前後それぞれの左右の柱４に横架してあり、左右の２本の柱４と桁２で門形に組んである。ただし、桁２の上面は、垂木１の傾斜に合わせて、前側に向けて下方に傾斜した面となっている。柱４と桁２の連結には、図５及び図６に示すような結合部材４１を用いている。結合部材４１は、略矩形の平板部４２と、平板部４２の下面に左右並んで２枚形成された垂下面４３からなり、平板部４２を桁２の下面に当接させてボルト止めし、２枚の垂下面４３を柱４の上端の開口部内に挿入して柱４の左右面からボルト止めしてある。
【００１２】
垂木１及び妻垂木１ａは、断面略矩形の形材からなり、図３及び図４に示すように、前後の桁２に横架してあって、前側に向けて下方に傾斜して、左右に等間隔に５本（中間部の３本の垂木１と、両端の２本の妻垂木１ａ）並んでいる。図１に示すように、垂木１の左右の側面の下部には、長手方向に延びる略Ｇ字形の溝状の被係合部１１を形成してある。また、上面の左右方向中央には、長手方向に延びるネジ受溝１２を形成してある。さらに、上面の左右には、タイト材ホルダを設けてあって、それぞれタイト材１３を取り付けてある。
【００１３】
そして、垂木１は桁２と直交して桁２の上面に固定してあり、垂木１と桁２の連結には、図１に示すような連結具３を用いている。連結具３は、矩形平板状の基板部３１と、基板部３１の上面に設けた左右２つの係合部３２を有する。係合部３２は、左右で対向する逆Ｊ字状のものであり、左右の係合部３２の間に垂木１が丁度納まり、垂木１の左右の被係合部１１にそれぞれ係合部３２が垂木１の長手方向に摺動自在に係合する。また、基板部３１は、左右の係合部３２の間部分の垂木固定部３３と、係合部３２の外側部分の桁固定部３４からなり、垂木１の被係合部１１に連結具３の係合部３２を係合させた状態で、垂木固定部３３が垂木１の下面に当接しており、桁固定部３４が垂木１の側方に延出している。そして、垂木固定部３３を、下側から垂木１にネジ止めして固定してあり、桁固定部３４を、上側から桁２にネジ止めして固定してあって、連結具３により垂木１と桁２が連結されている。なお、垂木固定部３３の下面には凹部３５を形成してあり、垂木固定部３３を垂木１に固定するネジの頭部が凹部３５に納まることで、桁２と干渉しないようにしてある。
【００１４】
また、図２に示すように、妻垂木１ａの内側半分は垂木１と同形状であり、すなわち、内側面の下部に、長手方向に延びる略Ｇ字形の溝状の被係合部１１を形成してある。また、上面の左右方向中央には、長手方向に延びるネジ受溝１２を形成してある。さらに、上面の内側には、タイト材ホルダを設けてあって、タイト材１３を取り付けてある。
【００１５】
そして、妻垂木１ａと桁２の連結にも、図２に示すような連結具３ａを用いている。妻垂木１ａ用の連結具３ａは、垂木１用の連結具３の、一方の係合部３２から外側部分を切除した形状であり、矩形平板状の基板部３１と、基板部３１の上面に設けた１つの係合部３２を有していて、基板部３１の、係合部３２より外側部分が垂木固定部３３、内側部分が桁固定部３４となっている。妻垂木１ａの内側面の被係合部１１に係合部３２が妻垂木１ａの長手方向に摺動自在に係合し、係合した状態で、垂木固定部３３が妻垂木１ａの下面に当接しており、桁固定部３４が妻垂木１ａの側方に延出している。そして、垂木固定部３３を、下側から妻垂木１ａにネジ止めして固定してあり、桁固定部３４を、上側から桁２にネジ止めして固定してあって、連結具３ａにより妻垂木１ａと桁２が連結されている。なお、垂木固定部３３の下面には凹部３５を形成してあり、垂木固定部３３を妻垂木１ａに固定するネジの頭部が凹部３５に納まることで、桁２と干渉しないようにしてある。
【００１６】
前枠５ａと後枠５ｂは、それぞれ左右に並んだ垂木１及び妻垂木１ａの前端と後端に取り付けてある。前枠５ａは、上側に向けて開口する溝状の部分を有し、樋として機能するものである。また、後枠５ｂの後側面には、左右にわたって等間隔に複数のクッション材９を取り付けてある。クッション材９は、円錐台形状のものであって、中心軸に沿って貫通孔を形成してあり、貫通孔にネジを通して、後枠５ｂにネジ止めしてある。このクッション材９は、簡易構造物が風にあおられるなどして撓んだ際に、後枠５ｂが躯体Ｓと直接接触することを防ぐためのものである。
【００１７】
中桟６は、左右に並んだ垂木１及び妻垂木１ａの間にそれぞれ渡し掛けるもので、垂木１及び妻垂木１ａの前後方向中央に設けてある。また、中桟６の上面にはタイト材を設けてある。なお、簡易構造物の出幅が大きい場合（垂木１及び妻垂木１ａが長い場合）には、前後に２本以上の中桟６を設けてもよい。
【００１８】
パネル材７は、樹脂製の矩形薄肉平板からなり、左右に並んだ垂木１及び妻垂木１ａの間にそれぞれ設けてある。より詳しくは、図１、図２、図５及び図６に示すように（図４はパネル材７を透過して表してある）、パネル材７の左右の端部が、垂木１又は妻垂木１ａの上面のタイト材１３に載置してあり、パネル材７の前端部が前枠５ａに係止し、後端部が後枠５ｂに係止しており、さらに、パネル材７の前後方向中央部が中桟６のタイト材に支持されている。そして、垂木１及び妻垂木１ａの上側には、それぞれパネル押さえ具７１，７１ａを取り付けてある。垂木１に取り付けるパネル押さえ具７１は、垂木１と略等幅で、左右端部の下面にタイト材ホルダを設けてあって、それぞれタイト材７２を取り付けてある。そして、パネル押さえ具７１の左右のタイト材７２と、垂木１の左右のタイト材１３とで、それぞれパネル材７の端部を挟み込み、パネル押さえ具７１の左右方向中央部を垂木１のネジ受溝１２にネジ止めして、パネル材７を固定してある。一方、妻垂木１ａに取り付けるパネル押さえ具７１ａは、内側端部の下面にタイト材ホルダを設けてあって、タイト材７２を取り付けてある。そして、パネル押さえ具７１ａのタイト材７２と、妻垂木１ａのタイト材１３とで、パネル材７の端部を挟み込み、パネル押さえ具７１ａの外側端部を妻垂木１ａのネジ受溝１２にネジ止めして、パネル材７を固定してある。
【００１９】
垂木カバー８は、垂木１及び妻垂木１ａの上側に取り付けるもので、図１及び図２に示すように、パネル押さえ具７１，７１ａを覆い隠している。垂木１と妻垂木１ａの垂木カバー８は同じ形状であって、下方に向けて開口する断面略コ字形の形材からなり、左右の下端部に内側に向けて突出する当接片８１を形成してある。また、上面には上側に向けて開口する断面略コ字形の溝部８２を形成してある。そして、垂木１においては、垂木カバー８の左右の当接片８１を、垂木１の上部に取り付けたパネル押さえ具７１の上面に当接させてあり、図１及び図５に示すように、Ｚ金具８３を介して垂木１にネジ止めしてある。ここで、垂木カバー８とＺ金具８３は、垂木カバー８の溝部８２の底面でネジ止めしてあり、溝部８２に目板８４を取り付けてネジを覆い隠してある。一方、妻垂木１ａにおいては、垂木カバー８の内側の当接片８１を妻垂木１ａの上部に取り付けたパネル押さえ具７１ａの上面に当接させ、外側の当接片８１を妻垂木１ａに当接させて、図２に示すように、垂木１の場合と同様にＺ金具８３を介して妻垂木１ａにネジ止めしてある。なお、垂木カバー８は、垂木１及び妻垂木１ａよりも前方に長く、前枠５ａよりも前側に突出しており、突出部分の下側には、垂木１と略同形状の化粧材８５を取り付けてあって、垂木１及び妻垂木１ａが前枠５ａを貫通して延びているように見える外観となっている。
【００２０】
次に、このように構成する簡易構造物の施工手順について説明する。なお、以下において、垂木１には妻垂木１ａを含み、連結具３には妻垂木１ａ用の連結具３ａを含む。まず、図７（ａ）に示すように、躯体Ｓの前側の各柱４の立設位置に、基礎穴Ｈを形成する。この際、躯体Ｓの基礎が布基礎である場合、地中の基礎が躯体Ｓ自体よりも前側に突出しており、基礎穴Ｈを形成する際の障害物Ｓ１となり得る。またそれ以外にも、埋設された種々の配管などが障害物となり得る。そこで、各基礎穴Ｈは、躯体Ｓから所定間隔でそれらの障害物を避けた位置に形成される。この実施形態では、柱４が９０ｍｍ角であって、後側の柱４は、中心が躯体Ｓの前側面から最低２２０ｍｍ離隔し、そこから簡易構造物の出幅に応じて３００ｍｍ〜５００ｍｍの範囲で前側に移動可能である。また、前側の柱４は、簡易構造物の出幅に応じて躯体Ｓの前側面からの最大距離が定まり、そこから簡易構造物の出幅に応じて３００ｍｍ〜５００ｍｍの範囲で後側に移動可能である。さらに、前後の柱４とも、左右方向に関して、内側に最大５００ｍｍ、外側に最大４７ｍｍの範囲で移動可能である。
【００２１】
続いて、２本の柱４に桁２を横架して門形に組み、これを２組作って、図７（ｂ）に示すように、それぞれ柱４を前側と後側の左右の基礎穴Ｈに立て、基礎穴Ｈにコンクリート又はモルタルを流し込んで固定する。ただし、垂木１の傾斜に合わせて、前側の柱４よりも後側の柱４の方が高くなっている。
【００２２】
続いて、図７（ｃ）に示すように、前後の桁２に垂木１を載置して固定する。垂木１と桁２の連結には、上記のとおり連結具３を用いる。ここで、垂木１は所定の位置に取り付けるものであって、この実施形態では、垂木１の後端に取り付ける後枠５ｂと、躯体Ｓの間の間隔が、７０ｍｍとなる位置とする。この際、上記のように、柱４の前後位置は地中の障害物によって移動するので、垂木１に対する桁２の取付位置はその都度変化するものであり、柱４の前後位置が確定することで、垂木１に対する桁２の取付位置が定まる。よって、垂木１の固定に際しては、まず、地上において、連結具３の係合部３２を垂木１の被係合部１１に係合させ、連結具３を垂木１の端部から上記のように定まった桁２の取付位置まで摺動させて、連結具３の垂木固定部３３を下側から垂木１にネジ止めする。こうして各垂木１に前後２つずつ連結具３を取り付ける。次に、垂木１を持ち上げて、屋根の設置位置である高所において、前後の桁２の上に載置する。既に連結具３の位置合わせをしてあり、前後の連結具３の位置がそれぞれ前後の桁２と一致するので、連結具３の桁固定部３４を上側から桁２にネジ止めする。
【００２３】
その後、垂木１の前後端にそれぞれ前枠５ａと後枠５ｂを取り付けるとともに、前後方向中間部に中桟６を取り付ける。なお、後枠５ｂには、予めクッション材９を取り付ける。続いて、垂木１の間にパネル材７を取り付けてパネル押さえ具７１で固定し、さらに垂木１に垂木カバー８を取り付けて、簡易構造物が完成する。
【００２４】
このように構成した本発明の簡易構造物によれば、垂木１と桁２を連結する際に、予め連結具３を垂木１に固定できるので、作業者は、連結具３を取り付けた垂木１とネジのみを持って高所に上がり、連結具３を桁２にネジ止めすればよく、施工性が良好である。連結具３は予め垂木１の所定の位置に付いており、これだけで垂木１を所定の位置に取り付けられるので、高所で垂木１の位置合わせを行う必要がない。また、連結具３を垂木１に固定する際、連結具３が垂木１に対して摺動自在なので、柱４の取付位置に応じた位置合わせが容易である。
【００２５】
本発明は、上記の実施形態に限定されない。たとえば、連結具の形状は、垂木に摺動自在かつ予め固定可能で、さらに桁にも固定可能なものであれば、どのようなものであってもよい。また、この簡易構造物は、前側のみに柱を有し、屋根の後端部を躯体の壁に接合するものであってもよいし、躯体に近接せず独立して設置するものであってもよい。
【符号の説明】
【００２６】
１  垂木
２  桁
３  連結具
１１  被係合部
３１  基板部
３２  係合部
３３  垂木固定部
３４  桁固定部
【図１】
2018071268.tif 000003
【図２】
2018071268.tif 000004
【図３】
2018071268.tif 000005
【図４】
2018071268.tif 000006
【図５】
2018071268.tif 000007
【図６】
2018071268.tif 000008
【図７（ａ）】
2018071268.tif 000009
【図７（ｂ）】
2018071268.tif 000010
【図７（ｃ）】
2018071268.tif 000011